(57)【要約】【課題】構造が簡単であり、回転が極めて安定であり、寿命が更に長く伸びるモップ用脱水機構を提供する。【解決手段】バケット１０内には、水除けユニット３０と、駆動ユニット２０と、が設けられ、バケットは上に開口する収容空間１１を有し、収容空間の底部に仕切具１２が形成され、バケットは、仕切具の下方に位置し側面に開口する取付空間１３を有し、水除けユニットは、仕切具に立設されるシャフト３１を有し、シャフトのバケットの収容空間に挿入する一端には、周面がフェンスである水垂れ用バケット３５が設けられ、駆動ユニットは、ユーザが踏込み可能な制動具２３を介して、水除けユニットの水垂れ用バケットを回転可能であるモップ用脱水機構において、駆動ユニットの制動具は、遊び星加速ユニット２６を介して水垂れ用バケットのシャフトを一方向に回転させ、駆動ユニットは、バケットの取付空間の底部に締結されたベース２１を有する。【選択図】図２
0003159258.tif 000002
【実用新案登録請求の範囲】
【請求項１】
バケット内には、水除けユニットと、駆動ユニットと、が設けられ、前記バケットは上に開口する収容空間を有し、前記収容空間の底部に仕切具が形成され、前記バケットは、前記仕切具の下方に位置し側面に開口する取付空間を有し、前記水除けユニットは、前記仕切具に立設されるシャフトを有し、前記シャフトの前記バケットの前記収容空間に挿入する一端には、周面がフェンスである水垂れ用バケットが設けられ、前記駆動ユニットは、ユーザが踏込み可能な制動具を介して、前記水除けユニットの水垂れ用バケットを回転可能であるモップ用脱水機構において、
前記駆動ユニットの前記制動具は、遊び星加速ユニットを介して前記水垂れ用バケットの前記シャフトを一方向に回転させ、前記駆動ユニットは、前記バケットの前記取付空間の底部に締結されたベースを有し、前記ベースには、上へ自動的に復帰可能な制動具が設けられ、前記制動具は、外側に伸びユーザが踏込み可能なペダル部と、内側に伸びる押付部と、を有し、前記ベースには、前記制動具の前記押付部に押付けられて摺動可能な摺動具が設けられ、前記摺動具は前記遊び星加速ユニットを駆動可能であり、前記駆動ユニットの前記摺動具はラック部を有し、前記遊び星加速ユニットのホイルには、前記ラック部に対応する噛合歯部が設けられることを特徴とする、モップ用脱水機構。
【請求項２】
前記遊び星加速ユニットは、前記水除けユニットの前記シャフトに、一方向回転可能軸受を有する太陽ギアが設けられ、前記駆動ユニットはホイルを有し、前記ホイルは歯付きカバーにカバーされるとともに、前記ホイルに前記太陽ギア及び前記歯付きカバーと同時に噛合う遊び星ギアが複数設けられることを特徴とする、請求項１に記載のモップ用脱水機構。
【請求項３】
前記駆動ユニットの前記歯付きカバーの上面の中心には、上に伸びるピン部が設けられ、前記ピン部と前記シャフトの間には、水の前記遊び星加速ユニットへの侵入を防止する防水ブッシュが設けられることを特徴とする、請求項２に記載のモップ用脱水機構。
【請求項４】
前記駆動ユニットの前記ベースは、上に伸びる二つの支持枠を有し、前記制動具は、ロッドを介して前記二つの支持枠の間に枢着され、前記支持枠と前記制動具の間にある前記ロッドに捩りバネが嵌め設けられ、前記捩りバネにより、踏込まれた前記制動具が上へ自動的に復帰可能であることを特徴とする、請求項１に記載のモップ用脱水機構。
【請求項５】
前記駆動ユニットの前記制動具と前記摺動具の対応端には、旋回ブロックと回転軸収容溝がそれぞれ設けられ、前記旋回ブロックと前記回転軸収容溝により、前記摺動具は、前記制動具に枢着され、前記制動具に連動されることができることを特徴とする、請求項１に記載のモップ用脱水機構。
【考案の詳細な説明】
【技術分野】
【０００１】
本考案はモップ用脱水機構に関し、特に、構造が簡単であり、回転が極めて安定であるモップ用脱水機構に関するものである。
【背景技術】
【０００２】
市販しているモップ用脱水機構は、バケットに絞り用バケットを設けるものから、近年の脱水装置に進化した。例えば特許文献１と特許文献２の「脱水装置」、特許文献３の「自動水垂れ装置付きバケット」、特許文献４の「モップ用脱水バケット」及び特許文献５の簡易脱水装置」などがある。これらの脱水装置は、バケットにモップを収容する水垂れバケットが設けられ、バケットの下方には、足踏みの力を駆動力とする駆動ユニットが設けられ、駆動ユニットにより水垂れバケットを高速に回転することができ、高速に回転している水垂れバケットの遠心力により、モップに含有する水を脱水することができる。
【先行技術文献】
【特許文献】
【０００３】
【特許文献１】台湾特許第Ｍ３２７７０９号
【特許文献２】台湾特許第Ｍ３３８６３４号
【特許文献３】台湾特許第Ｍ３４７１４６号
【特許文献４】台湾特許第Ｍ３４９２５５号
【特許文献５】台湾特許第Ｍ３５０５６４号
【考案の概要】
【考案が解決しようとする課題】
【０００４】
しかしながら、従来の駆動ユニットは、一側に力を加えることにより水垂れバケットのシャフトを駆動するため、シャフトが極めて大きなせん断力を受け、そうすると、能動ギアと受動ギアの噛合いが不確実になり、シャフトの駆動が不安定になり、脱水効率が降下し、全体の部材が緩め易く、寿命が減少するという問題があった。
そこで、本考案の主な目的は、構造が簡単であり、回転が極めて安定であるモップ用脱水機構を提供することにある。
【課題を解決するための手段】
【０００５】
本考案のモップ用脱水機構によると、バケット内には、水除けユニットと、駆動ユニットと、が設けられ、前記バケットは上に開口する収容空間を有し、前記収容空間の底部に仕切具が形成され、前記バケットは、前記仕切具の下方に位置し側面に開口する取付空間を有し、前記水除けユニットは、前記仕切具に立設されるシャフトを有し、前記シャフトの前記バケットの前記収容空間に挿入する一端には、周面がフェンスである水垂れ用バケットが設けられ、前記駆動ユニットは、ユーザが踏込み可能な制動具を介して、前記水除けユニットの水垂れ用バケットを回転可能であるモップ用脱水機構において、前記駆動ユニットの前記制動具は、遊び星加速ユニットを介して前記水垂れ用バケットの前記シャフトを一方向に回転させ、前記駆動ユニットは、前記バケットの前記取付空間の底部に締結されたベースを有し、前記ベースには、上へ自動的に復帰可能な制動具が設けられ、前記制動具は、外側に伸びユーザが踏込み可能なペダル部と、内側に伸びる押付部と、を有し、前記ベースには、前記制動具の前記押付部に押付けられて摺動可能な摺動具が設けられ、前記摺動具は前記遊び星加速ユニットを駆動可能であり、前記駆動ユニットの前記摺動具はラック部を有し、前記遊び星加速ユニットのホイルには、前記ラック部に対応する噛合歯部が設けられることを特徴とする。
【０００６】
本考案のモップ用脱水機構によると、前記遊び星加速ユニットは、前記水除けユニットの前記シャフトに、一方向回転可能軸受を有する太陽ギアが設けられ、前記駆動ユニットはホイルを有し、前記ホイルが歯付きカバーにカバーされ、前記ホイルには、前記太陽ギア及び前記歯付きカバーと同時に噛合う遊び星ギアが複数設けられることを特徴とする。
【０００７】
本考案のモップ用脱水機構によると、前記駆動ユニットの前記歯付きカバーの上面の中心には、上に伸びるピン部が設けられ、前記ピン部と前記シャフトの間には、水の前記遊び星加速ユニットへの侵入を防止する防水ブッシュが設けられることを特徴とする。
【０００８】
本考案のモップ用脱水機構によると、前記駆動ユニットの前記ベースは、上に伸びる二つの支持枠を有し、前記制動具は、ロッドを介して前記二つの支持枠の間に枢着され、前記支持枠と前記制動具の間にある前記ロッドに捩りバネが嵌め設けられ、前記捩りバネにより、踏込まれた前記制動具が上へ自動的に復帰可能であることを特徴とする。
【０００９】
本考案のモップ用脱水機構によると、前記駆動ユニットの前記制動具と前記摺動具の対応端には、旋回ブロックと回転軸収容溝がそれぞれ設けられ、前記旋回ブロックと前記回転軸収容溝により、前記摺動具は、前記制動具に枢着され、前記制動具に連動されることができることを特徴とする。
【考案の効果】
【００１０】
本考案のモップ用脱水機構によれば、構造が簡単であり、回転が極めて安定であり、寿命が更に長く伸びるという効果を有する。
【図面の簡単な説明】
【００１１】
【図１】本考案のモップ用脱水機構の組合済み状態の斜視図である。
【図２】本考案のモップ用脱水機構の分解斜視図であって、主な部材およびその相対位置を示す。
【図３】図５の３-３線の断面図である。
【図４】図５の４-４線の断面図である。
【図５】本考案のモップ用脱水機構の平面図である。
【図６】図７の６-６線の断面図であって、本考案のモップ用脱水機構の使用状態を示す。
【図７】本考案のモップ用脱水機構の平面図であって、その使用状態を示す。
【考案を実施するための形態】
【００１２】
以下、本考案の実施の形態を図面に基づいて説明する。
まず、図１及び図２を参照する。本考案のモップ用脱水機構は、バケット１０と、駆動ユニット２０と、水除けユニット３０と、水止めユニット５０と、を含む。
【００１３】
図２乃至図４を参照する。バケット１０は、水除けユニット３０を収容するための収容空間１１を有し、収容空間１１の一側に捏ねり空間１１１が設けられ、収容空間１１の底部に仕切部１２が形成される。そうすると、バケット１０の底部には、側面に開口する取付空間１３が形成され、バケット１０の開口縁には、ユーザがバケット１０を引上げ可能なハンドル１５が枢着される。
【００１４】
水除けユニット３０は、バケット１０の仕切具１２を挿通するシャフト３１を有し、シャフト３１の上端には、周面がフェンスである水垂れ用バケット３５が設けられ、水垂れ用バケット３５がモップを収容可能である。また、シャフト３１には、駆動ユニット２０に対応する太陽ギア３３が固定され、太陽ギア３３とシャフト３１の間に一方向回転可能軸受３３０が設けられ、シャフト３１の底部は自己潤滑ブッシュ３４を介して駆動ユニット２０に枢着される。
【００１５】
図４乃至図６を参照する。駆動ユニット２０は、ベース２１と、制動具２３と、摺動具２５と、遊び星加速ユニット２６と、から構成される。ベース２１は、バケット１０の取付空間１３の底部に締結され、シャフト３１の下端に応じて自己潤滑ブッシュ３４を収容する軸台２１０が形成され、その両端に支持枠２２がそれぞれ立設され、二つの支持枠２２の内面の中段に鉛直な係り溝２２０が形成され、両側にあるロッド２３３により制動具２３が二つの支持枠２２の間の上端に枢着される。制動具２３は、外側に伸びユーザが踏込み可能なペダル部２３１と、内側へ摺動具２５を押付ける押付部２３２と、を有する。支持枠２２と制動具２３の間にあるロッド２３３に捩りバネ２３４が嵌め設けられ、捩りバネ２３４により、踏込まれた制動具２３が上へ自動的に復帰可能である。制動具２３の下端のペダル部２３１の反対側に旋回ブロック２３５が設けられる。
【００１６】
ベース２１に二つのΓ字形を呈するレール２４が設けられ、二つのレール２４が摺動空間２４０を構成し、摺動具２５が摺動空間２４０を摺動自在であり、摺動具２５の両側には、レール２４に対応する翼２５０がそれぞれ設けられる。摺動具２５の水除けユニット３０にあるシャフト３１に対応する側縁にラック部２５１が形成され、摺動具２５の制動具２３に対応する一端に回転軸収容溝２５２が形成され、回転軸収容溝２５２に制動具２３の押付部２３２の旋回ブロック２３５が枢着され、これにより、制動具２３が摺動具２５と連動するようになる。
【００１７】
遊び星加速ユニット２６は、シャフト３１にホイル２７が枢着され、ホイル２７の上面には、等距離に置く円弧形状規制突起２７５が三つ設けられ、円弧形状規制突起２７５同士の間には、ほぼ円形を呈するホイル回転空間２７６が形成される。ホイル２７の各ホイル回転空間２７６に遊び星ギア２８がそれぞれ枢着され、各遊び星ギア２８がシャフト３１及び太陽ギア３３と同時に噛合う。ホイル２７の上面に歯付きカバー２７０がカバーされ、歯付きカバー２７０の内面には、各遊び星ギア２８の周面に設けられた歯と噛合う歯が環設される。歯付きカバー２７０の上面の中心には、上に伸びるピン部２７１が設けられる。ピン部２７１とシャフト３１の間に防水ブッシュ２７２が嵌め設けられる。歯付きカバー２７０の周面には、両側にある支持枠２２の係り溝２２０に対応する係り条２７４が設けられ、これにより、歯付きカバー２７０が定位されて回動不能になる。ホイル２７の下段に小径な噛合歯部２７３が形成され、噛合歯部２７３が摺動具２５のラック部２５１と噛合い、これにより、摺動具２５が制動具２３に作動されて移動するときに、制動具２３が捩りバネ２３４を圧縮し捩りバネ２３４に復帰弾力が発生する。
【００１８】
次に、図４乃至図６を参照しながら、本考案の使用状態を説明する。正常時には、駆動ユニット２０の制動具２３が捩りバネ２３４の復帰弾力により、制動具２３のペダル部２３１が上げられ、摺動具２５がベース２１の前端に定位される。
【００１９】
また、図７及び図８に示すように、バケット１０の水除けユニット３０の水垂れバケット３５にモップの先端を入れて、駆動ユニット２０の制動具２３のペダル部２３１を踏込むと、旋回ブロック２３５と回転軸収容溝２５２の枢着により、制動具２３の押付部２３２が摺動具２５を押えてベース２１に対して摺動する。なお、摺動具２５のラック部２５１が駆動ユニット２０のホイル２７の下段に設けられた噛合歯部２７３と噛合うため、ホイル２７が作動されて固定された歯付きカバーに対して回転し、且つホイル２７が遊び星ギア２８と太陽ギア３３と一方向回転可能軸受３３０を経由して水垂れバケット３５のシャフト３１を間接的に駆動する。制動具２３が捩りバネ２３４の復帰弾力により復帰するときには、摺動具２５も同時に復帰し、且つ摺動具２５がホイル２７を逆方向に回転可能であるため、太陽ギア３３の一方向回転可能軸受３３０により、太陽ギア３３とシャフト３１が空回るようになり、水垂れバケット３５のシャフト３１が逆方向に回転せず、すなわち、水垂れバケット３５が一方向だけ回転可能である。
【００２０】
このように、制動具２３を重複踏込むと、ホイル２７の回転速度が増加し、ホイル２７が大径な歯付きカバー２７０と複数の遊び星ギア２８を介してシャフト３１に設けられた太陽ギア３３を駆動するため、回転数比が向上し、シャフト３１を加速することができ、水除けユニット３０の水垂れバケット３５を高速に回転することができ、遠心力により水垂れバケット３５内に置かれるモップの含有する水を脱水することができる。その駆動は主に遊び星加速ユニット２６によるため、駆動力がシャフト３１の周面に均一に分布し、応力の偏りが発生せず、回転の安定性が大幅に向上し、回転速度が従来のものよりも速くなるため、脱水効率が増加し、且つ操作過程中の揺れが従来のものよりも少ないため、部材の緩みが発生せず、寿命が更に長く伸びる。
【産業上の利用可能性】
【００２１】
本考案は、脱水機構に適用することができる。
【符号の説明】
【００２２】
１０：バケット、１１：収容空間、１２：仕切具、１３：取付空間、１５：ハンドル、２０：駆動ユニット、２１：ベース、２２：支持枠、２３：制動具、２４：レール、２５：摺動具、２６：遊び星加速ユニット、２７：ホイル、２８：遊び星ギア、３０：水除けユニット、３１：シャフト、３３：太陽ギア、３４：自己潤滑ブッシュ、３５：水垂れ用バケット、５０：水止めユニット、１１１：捏ねり空間、２１０：軸台、２２０：係り溝、２３１：ペダル部、２３２：押付部、２３３：ロッド、２３４：捩りバネ、２３５：旋回ブロック、２４０：摺動空間、２５１：ラック部、２５２：回転軸収容溝、２７０：歯付きカバー、２７１：ピン部、２７２：防水ブッシュ、２７３：噛合歯部、２７４：係り条、２７５：円弧形状規制突起、２７６：ホイル回転空間、３３０：一方向回転可能軸受。
【図１】
0003159258.tif 000003
【図２】
0003159258.tif 000004
【図３】
0003159258.tif 000005
【図４】
0003159258.tif 000006
【図５】
0003159258.tif 000007
【図６】
0003159258.tif 000008
【図７】
0003159258.tif 000009